(57)【要約】      （修正有）【課題】観光事業所の莫大な経費と時間を節約し、旅行業登録業者には観光事業所のグループ・団体用企画情報を即座に把握させ、情報不足の解決と利便性の向上をもたらし、双方に効果的且つ円滑な取引方法を提供すること。【解決手段】  観光事業所が旅行業登録業者用グループ・団体用企画情報をサイト管理者に掲載依頼して、サイト管理者は観光事業所個々に前記情報を掲載してアクセス制限を加えたフォルダを設け、そのフォルダを格納したサーバを準備する。旅行業登録業者には全ページの閲覧ができるＩＤ番号・パスワードを発行。情報提供観光事業所には自ページのみの閲覧を許す個々のＩＤ番号・パスワードを発行して、観光事業所は互いに他の観光事業所ページは閲覧できなくする。これにより奇抜・奇策の企画が漏れることなく、旅行業登録業者用グループ・団体用企画情報の告知が、複数広範囲の旅行業登録業者に効率的に可能となる。【選択図】図１
2005100307.tif 000002
【特許請求の範囲】
【請求項１】
複数の旅館・ホテル・民宿・ペンション・ドライブイン・観光遊覧船・寺社・遊園地・観光農園・交通機関その他観光旅行に係わる一切の事業所（以下観光事業所という）が４名以上のグループ・１０名以上の団体客用に係わる料理写真・料金・部屋人数・特典・その他サービス内容一切の情報（以下グループ・団体客用企画情報という）を複数の第一種旅行業登録業者・第二種旅行業登録業者・第三種旅行業登録業者（以下旅行業登録業者という）が専用で利用することを目的としてサーバー管理者が観光事業所端末機から送信又は郵送・持参したグループ・団体客用企画情報を、サーバー管理者は自端末機とスキャナー等で加工して定められたホーマットに貼り付け、サーバー内の各観光事業所別にフォルダを設け、アップロードすると同時にＣＧＩ  ｃｒｙｐｔを利用して暗号化された暗証番号と個別に定められたＩＤ番号を通知して以下のアクセス制限を設定する。各観光事業所フォルダの上位に位置する絶対パスにあたるフォルダに前記暗証番号が記録された．ｈｔｐａｓｓｗｄを個別に設定し、各観光事業所のフォルダには暗証番号認証の為の．ｈｔａｃｃｅｓｓを作成設定する。一方旅行業登録業者はどの全ページの閲覧可能にする為、前記の方法で作成された統一した旅行業者登録業者専用のＩＤ番号とパスワードを用意して、ホームページ最上位のフォルダに．ｈｔｐａｓｓｗｄと．ｈｔａｃｃｅｓｓを設定した特徴とする情報伝達システム。
【請求項２】
前記のページを閲覧した当該旅行業登録業者をＣＧＩ  ＄＜とｇｅｔｐｗｕｉｄを使ってユーザーＩＤからユーザー情報を特定したサーバー管理者が、閲覧された関連観光事業所に通知することを特徴とする請求項１記載の情報伝達システム。
【発明の詳細な説明】
【技術分野】
【０００１】この発明は、観光事業所が旅行業登録業者用に企画したグループ・団体用企画情報をインターネット化して伝達することに関する。
【背景技術】
【０００２】  従来観光事業所は個人客・団体客に係わらず、旅行業登録業者を通じての取引が主流であった。しかし情報化が進歩する昨今、個人客はそれぞれ個々に得る情報を元に旅行計画を作成実行する傾向が増加しているが、グループ・団体客は殆ど旅行業登録業者を通じて観光事業所に手配を依頼しているのが現状である。【０００３】  観光事業所が旅行業登録業者を対象として作成した宣伝広告物には、個人客用とグループ・団体客用企画の両面で行なわれてきた。最近は観光事業所も個人客用に図２に示すように観光事業所が直接個々にインターネットを介して情報を提供している。【０００４】  しかし  旅行業登録業者用グループ・団体用企画情報は、旅行業登録業者に料金・サービス・特典等を付加して、販売促進を促す特別の企画であるため一般個人客には開示することは営業上支障を来たすため、グループ・団体用企画情報はインターネットを介して観光事業所個別にも集合体も前記情報は見あたらない。【０００５】  上記の理由で旅行業登録業者用グループ・団体用企画情報は従来通り莫大な費用と時間をかけて印刷し、旅行業登録業者に一軒一軒訪問して配布する、郵送する等の手段に頼っている。
【発明の開示】
【発明が解決しようとする課題】
【０００６】  しかしながら、以上の技術によれば、観光事業所は印刷費用、印刷物配布に関する費用の支出を余儀なくされる。一方旅行業登録業者は莫大な情報故にその整理に多大な労を費やし、それでも尚必要な時に必要な情報を選択することが非常に困難な現状である。【０００７】  そこで  各観光事業所が個々にグループ・団体用企画情報を旅行業登録業者にインターネットで提供することを試みたとしても、期間限定・春夏秋冬の料理内容の違い・サービス内容の違い等でホームページ管理に多大な労を必要とする。【０００８】旅行業登録業者用グループ・団体用企画情報と一般顧客とのサービス内容に相当の違いがあり、観光事業所の自社ホームページにグループ・団体企画情報を公開するとすれば当該ページにアクセス制限を設定する必要が生じ、本来の自社ホー厶ページの趣旨と異なることになる。又この状態で旅行業登録業者が各観光事業所のホームページに接続したとしても、個別の閲覧となり利便性に欠け利用は期待できない。【０００９】  そこで、この発明は、観光事業所の莫大な経費と時間を節約し、旅行業登録業者には観光事業所のグループ・団体用企画情報を即座に把握させ、情報不足の解決と利便性の向上をもたらし、双方に効果的且つ円滑な取引方法を提供することを課題とする。
【課題を解決するための手段】
【００１０】  以上の課題を解決するために、第一発明は、複数の観光事業所がグループ・団体用企画情報を複数の旅行業登録業者が専用で利用することを特徴とする情報伝達システムである。【００１１】  複数の観光事業所が各自の端末及び以外の手段で、グループ・団体用企画情報をサイト管理者に掲載依頼をする。サイト管理者は前記情報を観光事業所別のアクセス制限を付加したサーバー内のフォルダに格納して準備する。ネットワークを介して前記サーバー内の情報を閲覧しようとする旅行業登録業者には全てのページ閲覧することの出来るＩＤ番号・パスワードを発行する。
観光事業所にはサーバー内の自ページ閲覧のみを許す個々のＩＤ番号・パスワードを発行して、互いに他の観光事業所ページには進入できなくする。【００１２】  また、第二発明は、前記のサーバー内の情報を閲覧した旅行業登録業者の当該利用者情報をサイト管理者が整理して関連観光事業所に通知することを特徴とする情報伝達システム。
【発明の効果】
【００１３】  第一発明または第二発明によれば、観光事業所が旅行業登録業者用にグループ・団体用企画情報をインターネット化することで、観光事業所は  莫大な年間経費（グループ・団体企画情報を旅行業登録業者に提供するために必要とする印刷代・人件費・配布費用等）の大幅な節減と迅速かつ広範囲の効果が期待できる。【００１４】  一方複数の観光事業所が参画しているシステムである故、旅行業登録業者は観光事業所のサービス内容を集合させたサーバーに接続し、観光事業所のページを繰り返し検索して複数観光事業所の閲覧が可能となり、利便性に富、比較検討も含め、豊富な情報を得ることで顧客に対し迅速に的確な案内が実行可能となる。【００１５】前記のサイトを利用した旅行業登録業者の当該利用者情報をサイト管理者が観光関連事業所に通知することで、営業活動・販売活動を合理的に遂行することが出来る。一方旅行業登録業者も、より豊富な情報を確保し顧客に自信と責任を持った積極的な営業を実行することで、両者の相乗効果が観光業界の発展に寄与することになる。
【発明を実施するための最良の形態】
【００１６】  この発明の一実施形態を、図１に示す。
観光事業所Ａの企画するグループ・団体企画情報を▲１▼の接続回線でＢサーバー管理者に掲載情報を送信して掲載依頼を通知するべく設定したが前記情報を郵送又は持参してＢサーバー管理者に届けても良い。Ｂサーバー管理者は料理写真・その他サービス内容一切の条件を旅行業登録業者に明確に伝えるためのページを作成して▲２▼の接続回線でＡサーバ内−にアクセス制限を設けた観光事業所Ａフォルダの中に前記の情報をアップロードして観光事業所Ａと旅行業登録業者のみが閲覧出来るシステムを構築する。【００１７】  Ｂサーバ管理者は▲１▼の回線で観光事業所Ａに観光事業所Ａフォルダにのみ閲覧できるＩＤ番号・パスワードを通知する。観光事業所Ａは点線の回線で発行されたＩＤ番号・パスワードを入力して観光事業所Ａフォルダに進入して内容を確認、観光事業所Ａは▲１▼の回線で観光事業所Ａフォルダを旅行業登録業者に開放することの承認をＢサーバー管理者に通知する。観光事業所Ａフォルダには他の観光事業所は閲覧できないシステ厶が完成されたことを確認する。【００１８】  旅行業登録業者１は▲３▼の接続回線で会員登録をＢサーバー管理者に申込む、Ｂサーバー管理者は旅行業登録業者であることを確認して、同接続回線▲３▼で旅行業登録業者に全てのページの閲覧を許可するＩＤ番号・パスワードを通知する。旅行業登録業者１に発行されたＩＤ番号・パスワードを入力して同接続回線▲４▼を利用して、観光事業所が掲載している全てのページの閲覧が可能となる。【００１９】  前記を繰り返すことにより観光事業所は自フォルダの閲覧は許されるが他の観光事業所のホー厶ページには閲覧することはできず、旅行業登録業者は全てのページの閲覧が可能となるインターネットシステムが完成される。【００２０】  Ｂサーバー管理者は会員登録の際、閲覧の事実を観光事業所に通知することを明記した会員規約に同意した旅行業登録業者に入会の許可を与える。ＩＤ番号からユーザー名を特定し、閲覧した旅行業登録業者名を▲１▼の接続回線で当該観光事業所に通知する。
「実施形態の効果」【００２１】この実施形態によれば、旅行業登録業者は情報を必要とするときに、複数の観光事業所が一箇所に参画してグループ・団体用企画情報を提供してサイトであるため、旅行業登録業者が前記情報を一つのサイトに接続することで、複数の観光事業所情報を知ることが出来る。【００２２】  観光事業所はグループ・団体用企画情報を旅行業登録業者に提供するために必要とする印刷代・人件費・配布費用等の経費の大幅な節減出来る一方で、迅速かつ広範囲の情報提供が現実となる。【００２３】観光事業所は前記のサイトを閲覧した当該旅行業登録業者の情報を知り、旅行業登録業者への営業活動・販売活動を合理的に遂行することが出来る。旅行業登録業者は観光事業所の積極的な営業を受けることにより、より豊富な情報を得ることで顧客に自信と責任を持った販売を実行することで、両者の相乗効果が観光業界の発展に寄与することになる。
「他の実施形態」
【図面の簡単な説明】
【００２５】
【図１】この発明の一実施形態を示す接続経路図である。
【符号の説明】
Ａ    インターネットサーバー
Ｂ    サイト管理者
▲１▼    観光事業所がサイト管理者と情報の提供・パスワードのやりとり・情報変更等のための接続回線。
▲２▼    サーバー管理者がサーバーをメンテナンスする接続回線。
▲３▼    サーバー管理者と旅行業登録業者が入会手続き、ＩＤ番号・パスワードのやりとり、閲覧当該旅行業登録業者を特定して通知する接続回線。
▲４▼    旅行業登録業者が観光事業所のホームページを閲覧するための接続回線
点線    観光事業所が個々にサーバ内の自社のホームページを確認する接続回線
【図２】
従来技術を示すインターネットシステムで個々の観光事業所のホー厶ページである。旅行業登録業者以外も閲覧可能であり、観光事業所と旅行業登録業者間の業務用として不向きであり、旅行業登録業者はほとんど閲覧しないのが現状である。
【符号の説明】
【図１】
2005100307.tif 000003
【図２】
2005100307.tif 000004